(57)【特許請求の範囲】
【請求項１】
フェース面に形成され、互いに平行な複数のスコアラインと、
前記フェース面に形成され、前記スコアラインよりも幅が狭い第１溝と、
前記フェース面に形成され、前記第１溝よりも幅が狭い第２溝と、を備え、
前記第１及び第２溝は、それぞれ、前記スコアライン間に複数形成され、
前記第１溝は、幅が３００μｍ以上７００μｍ以下であり、
前記第２溝は、幅が３０μｍ以上１００μｍ以下であり、
前記第１及び第２溝は、前記スコアラインと平行に形成され、
前記第１溝と前記第２溝とが、前記スコアラインと直交する方向に交互に形成されているゴルフクラブヘッド。
【請求項２】
前記スコアラインと直交する方向で前記スコアラインの両側の位置に前記第２溝が形成されている請求項１に記載のゴルフクラブヘッド。
【請求項３】
前記スコアラインは、幅が０．６ｍｍ以上、深さが０．３ｍｍ以上であり、
前記第１及び第２溝は、深さが１０μｍ以上２５μｍ以下である請求項１に記載のゴルフクラブヘッド。
【請求項４】
前記第１溝は、前記スコアライン間に３つ以上形成されている請求項３に記載のゴルフクラブヘッド。
【請求項５】
前記スコアラインが、切削加工、プレス加工又は鋳造のいずれかの加工方法により形成された請求項１に記載のゴルフクラブヘッド。
【請求項６】
前記第１溝と、前記第２溝とが互いに異なる加工方法により形成された請求項１に記載のゴルフクラブヘッド。
【請求項７】
前記第１溝が、切削加工又はプレス加工のいずれかの加工方法により形成された請求項１に記載のゴルフクラブヘッド。
【請求項８】
前記第２溝が、レーザ加工又はエッチングのいずれかの加工方法により形成された請求項１に記載のゴルフクラブヘッド。
【発明の詳細な説明】
【技術分野】
【０００１】
本発明はゴルフクラブヘッドに関するものである。
【背景技術】
【０００２】
一般に、ゴルフクラブヘッドのフェース面にはトウ−ヒール方向に互いに平行な複数の直線状の溝が形成されている。この溝はスコアライン、マーキングライン、フェースライン等と呼ばれている（本書においてはスコアラインと称する。）。このスコアラインは、打球のバックスピン量を増大させたり、或いは、雨天時やラフからのショットの場合に、打球のバックスピン量が著しく低減することを抑制する効果がある。
【０００３】
しかし、スコアラインのみではバックスピン量の増大効果や雨天時等におけるバックスピン量の低減抑制効果に限界がある。特に、競技用のゴルフクラブヘッドでは、スコアラインの仕様にルール上の制約がある。そこで、スコアラインよりも細かい溝をフェース面に形成することが提案されている（例えば、特許文献１乃至３に記載）。このような細かい溝は打球のバックスピン量の低減の防止に有効である。
【先行技術文献】
【特許文献】
【０００４】
【特許文献１】特開２０１１−２５１０１６号公報
【特許文献２】特開２０１１−２３４７４９号公報
【特許文献３】特開２０１１−２３４７４８号公報
【発明の概要】
【発明が解決しようとする課題】
【０００５】
雨天時やラフからのショットの場合、フェース面とボールとの間に水や芝が入ることでバックスピン量が低減する。よって、バックスピン量の低減抑制効果を発揮させるためには、フェース面とボールとの間から水や芝を排出することが有効である。
【０００６】
本発明の目的は、スコアラインよりも細かい溝による、バックスピン量の低減抑制効果を向上することにある。
【課題を解決するための手段】
【０００７】
本発明によれば、
フェース面に形成され、互いに平行な複数のスコアラインと、
前記フェース面に形成され、前記スコアラインよりも幅が狭い第１溝と、
前記フェース面に形成され、前記第１溝よりも幅が狭い第２溝と、を備え、
前記第１及び第２溝は、それぞれ、前記スコアライン間に複数形成され、
前記第１溝は、幅が３００μｍ以上７００μｍ以下であり、
前記第２溝は、幅が３０μｍ以上１００μｍ以下であり、
前記第１及び第２溝は、前記スコアラインと平行に形成され、
前記第１溝と前記第２溝とが、前記スコアラインと直交する方向に交互に形成されているゴルフクラブヘッドが提供される。
【発明の効果】
【０００８】
本発明によれば、スコアラインよりも細かい溝による、バックスピン量の低減抑制効果を向上することができる。
【図面の簡単な説明】
【０００９】
【図１】本発明の一実施形態に係るゴルフクラブヘッドの外観図及びフェース面の部分拡大図。
【図２】スコアライン及び２種類の溝の断面図。
【図３】スコアライン及び２種類の溝の形成方法の説明図。
【図４】（Ａ）乃至（Ｄ）は溝の他の例を示す断面図。
【発明を実施するための形態】
【００１０】
図１は本発明の一実施形態に係るゴルフクラブヘッド１の外観図及びフェース面１０の部分拡大図、図２はスコアライン２０、溝３０及び４０の、その長手方向（トウ−ヒール方向）に直交する方向の断面図である。
【００１１】
同図の例はアイアン型のゴルフクラブヘッドに本発明を適用した例を示す。本発明は、アイアン型のゴルフクラブヘッド、特に、ミドルアイアン、ショートアイアン、ウェッジ型のゴルフクラブヘッドに好適であり、具体的には、ロフト角が３０度以上７０度以下、ヘッド重量が２４０ｇ以上３２０ｇ以下のゴルフクラブヘッドに好適である。しかし、本発明はウッド型やユーティリティー型（ハイブリッド型）のゴルフクラブヘッドにも適用可能である。
【００１２】
ゴルフクラブヘッド１は、そのフェース面（打撃面）１０に複数本のスコアライン２０が形成されている。各々のスコアライン２０はトウ−ヒール方向に延設された、互いに平行な直線状の溝であり、スコアライン２０の長手方向と直交するｄ１方向に複数本形成されている。
【００１３】
本実施形態の場合、各々のスコアライン２０の配設間隔（ピッチ）は等間隔（等ピッチ）であるが、配設間隔が異なっていてもよい。本実施形態において、スコアライン２０の断面形状は、その長手方向の両端部（トウ側端部、ヒール側端部）を除き、同じである。また、各々のスコアライン２０の断面形状は同じである。
【００１４】
スコアライン２０は、一対の側壁２１と、底壁２２とを有し、その断面形状は中心線ＣＬで左右対称な台形状に形成されている。なお、スコアライン２０の断面形状は台形状に限られず、Ｖ字状等、他の形状でもよい。スコアライン２０の縁２３には丸みが形成されている。丸みの半径は例えば、０．０５ｍｍ以上０．３ｍｍ以下である。
【００１５】
スコアライン２０の深さＤｓ（底壁２２とフェース面１０との距離）は０．３ｍｍ以上が好ましい。ゴルフクラブヘッド１を競技用とする場合、ルールを充足する点で、深さＤｓは０．５ｍｍ以下とする。スコアライン２０の幅Ｗｓ（３０度測定法による幅）は０．６ｍｍ以上が好ましい。ゴルフクラブヘッド１を競技用とする場合、ルールを充足する点で、幅Ｗｓは０．９ｍｍ以下とする。
【００１６】
フェース面１０には、複数の溝３０、４０が形成されている。溝３０は、その幅Ｗ１がスコアライン２０の幅Ｗｓよりも狭く、３００μｍ以上７００μｍ以下である。溝４０はその幅Ｗ１が、溝３０の幅Ｗ１よりも狭く、３０μｍ以上１００μｍ以下である。
【００１７】
溝３０及び溝４０の各深さＤ１、Ｄ２はフェース面１０上の水等を排出する観点で、１０μｍ以上であることが好ましい。ゴルフクラブヘッド１を競技用とする場合、ルールを充足する点で、深さＤ１、Ｄ２は２５μｍ以下とする。
【００１８】
その他、ゴルフクラブヘッド１を競技用とする場合、ルールを充足する点で、スコアライン２０や溝３０、４０の仕様をルールに適合するように設計する。
【００１９】
溝３０は隣接するスコアライン２０間の領域に複数形成されている。また、溝４０も隣接するスコアライン２０間の領域に複数形成されている。なお、本実施形態では溝３０及び４０はスコアライン２０の長手方向側方の領域には形成されていないが、ここに形成してもよい。
【００２０】
本実施形態では、スコアライン２０よりも幅が狭い溝３０を形成することに加えて、溝３０よりも幅が狭い４０を形成している。溝３０と溝３０との間を埋めるようにして溝４０を形成することで、溝３０のみを形成する場合に比べて、溝の総数を増加できる。つまり、溝が形成されている部分の面積を増大できる。この結果、フェース面１０上の水や芝が溝３０や溝４０に入り込み易くなる。こうして本実施形態では、スコアライン２０よりも細かい溝３０、４０による、バックスピン量の低減抑制効果を向上することができる。なお、溝３０と溝４０とでは、幅が広い溝３０の方が水や芝が入り込み易い。よって、隣接するスコアライン２０間の領域に形成される溝３０の数は多い方が好ましく、３本以上であることが好ましい。
【００２１】
本実施形態の場合、溝３０、４０は直線状に形成されているが、曲線であってもよい。但し、直線状に形成した方が溝の加工が容易である。なお、各溝３０、４０は一本の直線形状をなしているが、途中で途切れていてもよい。
【００２２】
本実施形態の場合、溝３０、４０はスコアライン２０と平行であるが、交差する方向に延設されていてもよい。ただし、平行とした方が溝３０、４０の長さを長くすることができ、フェース面１０上の水をトウ−ヒール方向に広範囲に渡って排水できる。
【００２３】
本実施形態では、溝３０と溝４０とはｄ１方向に交互に形成されている。これは、複数の溝３０をｄ１方向に密に形成しつつ、隣接する溝３０間を溝４０で埋めることができ、溝の総数の増加に役立つ。
【００２４】
本実施形態の場合、隣接するスコアライン２０間の領域に、溝３０は等ピッチで形成されており、また、溝４０も等ピッチで形成されている。これはフェース面１０上の打点の位置によってバックスピン量にばらつきが生じることを低減することに役立つ。
【００２５】
本実施形態の場合、ｄ１方向で各スコアライン２０の両側の位置に溝４０が形成されているが溝３０が形成されていてもよい。但し、この位置に溝４０が形成されることで、ボールと引っ掛かりやすい縁２３近傍に溝４０による角が形成され、ボールとの摩擦増大によりバックスピン量を向上できる。
【００２６】
次に、スコアライン２０、溝３０及び４０の形成方法について図３を参照して説明する。なお、フェース面１０はゴルフクラブヘッド１に一体成形されていてもよいし、フェース面１０を構成するフェース部材と、ヘッド本体とを別部材として接合してもよい。
【００２７】
状態ＳＴ１はフェース面１０にスコアライン２０を形成した状態を示す。スコアライン２０は例えば、切削加工、鍛造又は鋳造のいずれかの加工方法により形成することができる。
【００２８】
状態ＳＴ２はフェース面１０に溝３０を形成した状態を示す。溝３０は例えば切削加工又は鍛造のいずれかの加工方法により形成することができる。スコアライン２０と溝３０とを共に切削加工により形成する場合、ＮＣフライス盤によるミーリング加工で、スコアライン２０と溝３０とを連続的に形成することができる。スコアライン２０と溝３０とを鍛造により形成する場合、スコアライン２０と溝３０とを同時に形成することができる。溝３０を鋳造で形成することも可能であるが、精度の点で切削加工か鍛造が好ましい。
【００２９】
状態ＳＴ３はフェース面１０に溝４０を形成した状態を示す。溝４０は例えばレーザ加工又はエッチングのいずれかの加工方法により形成することができる。溝４０は溝３０に比べて細かい溝である。このため、溝３０を形成する加工方法と、溝４０を形成する加工方法とを異ならせることが好ましい。
【００３０】
ここで、溝４０を形成しない場合、溝３０と溝３０との間に山の部分が形成される。この山の部分が尖っていると、ゴルフクラブヘッド１の使用により摩耗して潰れ易くなる。これは、ゴルフクラブヘッド１の使用によって、スピン性能が変化していくことになり、好ましくない。溝４０を形成することで、この尖った部分を無くすことができ、長期間安定したスピン性能を確保することが可能である。
【００３１】
こうして、スコアライン２０、溝３０及び４０を形成することができる。この後、フェース面１０の硬度を硬くする表面処理を行うことが好ましい。このような表面処理としては、浸炭処理、窒化処理、軟窒化処理、ＰＶＤ（Physical Vepor Deposition）処理、イオンプレーティング、ＤＬＣ（ダイヤモンド  ライク  カーボン）処理、めっき処理等が挙げられる。特に、浸炭処理や窒化処理といった、表面に別の金属層を形成せず、表面を改質する表面処理が好ましい。
【００３２】
＜他の実施形態＞
上記実施形態では、溝３０と溝４０とを交互に形成したが、溝３０と溝４０との配列態様はこれに限られない。例えば、図４（Ａ)に示すように溝３０と溝３０との間に複数の溝４０（同図の例では２つ）を形成してもよい。また、例えば、図４（Ｂ)に示すように、溝３０と溝４０とを規則性を有さずにランダムに配列してもよい。
【００３３】
上記実施形態では、各溝４０の深さＤ２が同じ場合を想定したが、例えば、図４（Ｃ)に示すように異なっていてもよい。各溝３０の深さについても同様である。特に、ボールが打撃される頻度が高い部位（フェース面１０の下部中央等）においては溝３０、４０を相対的に深くしておくことで、フェース面１０とボールとの間に水等が介在することをより一層回避できる。
【００３４】
上記実施形態では、２種類の溝３０、４０を形成したが、幅が異なる３種類以上の溝を形成してもよい。図４（Ｄ)は、溝３０及び４０に加えて、溝５０を形成した例を示す。溝５０は溝３０の幅と溝４０の幅との中間の幅を有している。
【００３５】
上記実施形態では、溝３０の断面形状を円弧形状としたが、他の断面形状であってもよい。溝４０の断面形状も、図２等に図示したものに限られず、他の断面形状であってもよい。
【図１】
0005977065.tif 000002
【図２】
0005977065.tif 000003
【図３】
0005977065.tif 000004
【図４】
0005977065.tif 000005